(57)【特許請求の範囲】
【請求項１】
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記履歴取得手段により取得される前記画像情報についての履歴情報に応じて、前記画像処理手段により当該画像情報に画像の彩度および色相の少なくともいずれかを変更する処理を施す履歴処理手段と
現在時点を示す日時情報を生成する時計手段と、
前記画像情報を外部機器にコピーするコピー手段と
を有し、
前記履歴取得手段は、前記履歴情報として、前記画像情報を外部機器にコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴とする撮像装置。
【請求項２】
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記画像情報を可視画像として表示する表示手段と、
前記表示手段により前記画像情報を表示に供する際に、前記履歴取得手段により取得される前記画像情報についての履歴情報に応じて、前記画像処理手段により当該画像情報に画像の彩度および色相の少なくともいずれかを変更する処理を施す履歴処理手段と
現在時点を示す日時情報を生成する時計手段と、
前記画像情報を外部機器にコピーするコピー手段と
を有し、
前記履歴取得手段は、前記履歴情報として、前記画像情報を外部機器にコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴とする撮像装置。
【請求項３】
前記撮像装置は、前記画像情報を外部機器にコピーするコピー手段を含むとともに、
前記履歴取得手段は、前記履歴情報として、前記画像情報を外部機器にコピーした回数を示すコピー回数情報を含む情報を取得し、且つ
前記履歴処理手段は、前記履歴情報に前記コピー回数情報を含む画像情報について、前記履歴情報に含まれる前記コピー回数情報に応じて、前記画像処理手段により前記画像情報に画像の彩度および色相の少なくともいずれかを変更する処理を施すことを特徴とする請求項１または請求項２に記載の撮像装置。
【請求項４】
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を内蔵メモリに保存する内蔵メモリ手段と、
前記画像情報を外部メモリに保存する外部メモリ手段と、
前記画像情報を前記内蔵メモリから前記外部メモリにコピーするコピー手段と
を含むとともに、
前記履歴取得手段は、前記履歴情報として、前記画像情報を前記内蔵メモリから前記外部メモリにコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴とする撮像装置。
【請求項５】
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記画像情報を可視画像として表示する表示手段と、
前記表示手段により前記画像情報を表示に供する際に、前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を内蔵メモリに保存する内蔵メモリ手段と、
前記画像情報を外部メモリに保存する外部メモリ手段と、
前記画像情報を前記内蔵メモリから前記外部メモリにコピーするコピー手段と
を含むとともに、
前記履歴取得手段は、前記履歴情報として、前記画像情報を前記内蔵メモリから前記外部メモリにコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記表示手段により前記内蔵メモリに保存された画像情報を表示に供する際に、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴とする撮像装置。
【請求項６】
前記履歴処理手段は、前記画像処理手段により、画像をセピア調に変更する処理を施すことを特徴とする請求項１〜請求項５のいずれか１項に記載の撮像装置。
【請求項７】
前記履歴情報は、前記画像情報に個々に対応して保存されることを特徴とする請求項１〜請求項６のいずれか１項に記載の撮像装置。
【請求項８】
前記履歴情報は、前記画像情報に付随する情報として一体的に保存されることを特徴とする請求項１〜請求項６のいずれか１項に記載の撮像装置。
【発明の詳細な説明】
【技術分野】
【０００１】
本発明は、固体撮像素子等の撮像素子によって撮像した画像情報をメモリに記録する、いわゆるデジタルカメラ等の撮像装置に係り、特に撮像された画像情報の履歴表示を考慮した撮像装置に関するものである。
【背景技術】
【０００２】
近年、被写体の静止画像（スティル画像）または動画像（ムービー画像）を撮像するカメラとして、多くの場合、デジタルカメラ等と称され、被写体を、例えばＣＭＯＳ（相補型金属酸化物半導体）イメージセンサまたはＣＣＤ（電荷結合素子）イメージセンサ等の固体撮像素子により撮像し、被写体の静止画像または動画像の画像データを得て、半導体メモリを用いたメモリカード等の記憶媒体にデジタル的に記録するタイプのカメラが用いられるなど、撮像装置および画像記録のデジタル化が進んでいる。
このように、撮像装置および画像記録のデジタル化が進み、記録媒体として、いわゆる銀塩フィルムを用いた銀塩写真の頃のように、紙に焼き付けた写真が日に焼けて変色してしまうということがほとんどなくなっている。そのため、古い写真であっても、時間の経過による視覚上の変化やその風合による懐かしさを感じさせることができなくなってしまった。
また、記録媒体としてのメモリカード等の大容量化に伴い、デジタルカメラの画像を大量に保存することができるようになってきた。そのため、画像情報を、ＰＣ（パーソナルコンピュータ〜いわゆるパソコン）の記憶装置（例えば、ハードディスク）等に保存しても撮像装置のメモリカードから削除せず、メモリカード上に画像を残しておくことが多くなった。
【０００３】
そして、メモリカードから画像情報を削除しようとする際には、しばしば、既にＰＣの記憶装置にコピーしたか否かが、わからなくなってしまうことがある。
一方、デジタル画像情報から、銀塩写真が日光にさらされて変色したようなセピア調の画像を得る技術や、デジタル画像情報に対して色補正を行う技術が、例えば、特許文献１（特許第４３５０８０９号公報）および特許文献２（特開２０１０−１８７０５０号公報）等に開示されている。すなわち、特許文献１（特許第４３５０８０９号公報）には、デジタル画像情報に画像処理を施して、銀塩写真が日光にさらされて変色したようなセピア調の画像を得ることが示されている。また、特許文献２（特開２０１０−１８７０５０号公報）には、デジタル画像情報に画像処理を施して、様々な色補正を行うことが示されている。
【発明の概要】
【発明が解決しようとする課題】
【０００４】
上述した特許文献１（特許第４３５０８０９号公報）に開示された技術は、画像処理により、デジタル画像情報から、セピア調の画像を得るものであるが、この画像処理は、モード選択によりセピア調画像を指定することにより撮影時に行われている。このため、セピア調画像は、撮影時からの時間経過等にかかわらず、撮影時点で既にセピア調画像として記録される。
また、特許文献２（特開２０１０−１８７０５０号公報）に開示されたものは、デジタル画像情報に様々な色補正を施す画像処理の技術である。すなわち、特許文献２（特開２０１０−１８７０５０号公報）には、デジタル画像情報自体の時間経過やコピー等の履歴にかかわらず、デジタル画像情報に色補正を施す技術が開示されている。
しかしながら、古いデジタル画像情報に、銀塩写真のような時間の経過による視覚上の変化やその風合を持たせることができれば、デジタル画像情報に古さや懐かしさを感じさせることができると考えられる。また、メモリカード等に記録された画像情報について、既にＰＣの記憶装置や外部記憶装置等にコピーしたか否か等の履歴を容易に判断することができるようにすることができれば、記録されている画像情報を削除したりコピーしたりする際の参考として極めて有意義である。
【０００５】
本発明は、上述した事情に鑑みてなされたもので、撮像した画像情報の彩度および色相の少なくともいずれかを、その画像情報の履歴に応じて変化させ、画像情報の履歴を把握することを可能とする撮像装置を提供することを目的としている。
本発明の請求項１の目的は、画像情報の履歴に応じて彩度および色相の少なくともいずれかを変化させて、撮像した画像情報の履歴を把握することを可能とし、特に、画像情報の外部機器へのコピー履歴に応じて彩度および色相の少なくともいずれかを変化させて、画像情報のコピー履歴を把握することを可能とする撮像装置を提供することにある。
本発明の請求項２の目的は、画像情報の履歴に応じて彩度および色相の少なくともいずれかを変化させて、表示される画像情報の履歴を把握することを可能とし、画像情報の外部機器へのコピー履歴に応じて彩度および色相の少なくともいずれかを変化させて、画像情報のコピー履歴を把握することを可能とする撮像装置を提供することにある。
【０００６】
本発明の請求項３の目的は、特に、画像情報の外部機器へのコピー回数履歴に応じて彩度および色相の少なくともいずれかを変化させて、画像情報のコピー回数履歴を把握することを可能とする撮像装置を提供することにある。
本発明の請求項４の目的は、画像情報の履歴に応じて彩度および色相の少なくともいずれかを変化させて、撮像した画像情報の履歴を把握することを可能とし、特に、画像情報の内蔵メモリから外部メモリへのコピー歴がある画像情報について、経時履歴に応じて彩度および色相の少なくともいずれかを変化させて、画像情報の履歴を把握することを可能とする撮像装置を提供することにある。
本発明の請求項５の目的は、画像情報の履歴に応じて彩度および色相の少なくともいずれかを変化させて、表示される画像情報の履歴を把握することを可能とし、特に、画像情報の内蔵メモリから外部メモリへのコピー歴がある画像情報について、経時履歴に応じて彩度および色相の少なくともいずれかを変化させて、表示される画像情報の履歴を把握することを可能とする撮像装置を提供することにある。
本発明の請求項６の目的は、特に、画像情報の履歴を色調により把握することを可能とする撮像装置を提供することにある。
本発明の請求項７の目的は、特に、画像情報と個々に対応して履歴情報を保存し、簡易に画像情報の履歴を把握することを可能とする撮像装置を提供することにある。
本発明の請求項８の目的は、特に、画像情報に対応する履歴情報を一体的に保存し、簡便に画像情報の履歴を把握することを可能とする撮像装置を提供することにある。
【課題を解決するための手段】
【０００７】
請求項１に記載した本発明に係る撮像装置は、上述した目的を達成するために、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を外部機器にコピーするコピー手段と
を有し、
前記履歴取得手段は、前記履歴情報として、前記画像情報を外部機器にコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴としている。
請求項２に記載した本発明に係る撮像装置は、上述した目的を達成するために、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記画像情報を可視画像として表示する表示手段と、
前記表示手段により前記画像情報を表示に供する際に、前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を外部機器にコピーするコピー手段と
を有し、
前記履歴取得手段は、前記履歴情報として、前記画像情報を外部機器にコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴としている。
【０００９】
請求項３に記載した本発明に係る撮像装置は、請求項１または請求項２の撮像装置であって、
前記撮像装置は、前記画像情報を外部機器にコピーするコピー手段を含むとともに、
前記履歴取得手段は、前記履歴情報として、前記画像情報を外部機器にコピーした回数を示すコピー回数情報を含む情報を取得し、且つ
前記履歴処理手段は、前記履歴情報に前記コピー回数情報を含む画像情報について、前記履歴情報に含まれる前記コピー回数情報に応じて、前記画像処理手段により前記画像情報に画像の彩度および色相の少なくともいずれかを変更する処理を施すことを特徴としている。
請求項４に記載した本発明に係る撮像装置は、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を内蔵メモリに保存する内蔵メモリ手段と、
前記画像情報を外部メモリに保存する外部メモリ手段と、
前記画像情報を前記内蔵メモリから前記外部メモリにコピーするコピー手段と
を含むとともに、
前記履歴取得手段は、前記履歴情報として、前記画像情報を前記内蔵メモリから前記外部メモリにコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴としている。
【００１０】
請求項５に記載した本発明に係る撮像装置は、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記画像情報を可視画像として表示する表示手段と、
前記表示手段により前記画像情報を表示に供する際に、前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を内蔵メモリに保存する内蔵メモリ手段と、
前記画像情報を外部メモリに保存する外部メモリ手段と、
前記画像情報を前記内蔵メモリから前記外部メモリにコピーするコピー手段と
を含むとともに、
前記履歴取得手段は、前記履歴情報として、前記画像情報を前記内蔵メモリから前記外部メモリにコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記表示手段により前記内蔵メモリに保存された画像情報を表示に供する際に、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことを特徴としている。
【００１１】
請求項６に記載した本発明に係る撮像装置は、請求項１〜請求項５のいずれか１項の撮像装置であって、
前記履歴処理手段は、前記画像処理手段により、画像をセピア調に変更する処理を施すことを特徴としている。
請求項７に記載した本発明に係る撮像装置は、請求項１〜請求項６のいずれか１項の撮像装置であって、
前記履歴情報は、前記画像情報に個々に対応して保存されることを特徴としている。
請求項８に記載した本発明に係る撮像装置は、請求項１〜請求項６のいずれか１項の撮像装置であって、
前記履歴情報は、前記画像情報に付随する情報として一体的に保存されることを特徴としている。
【発明の効果】
【００１２】
本発明によれば、撮像した画像情報の彩度および色相の少なくともいずれかを、その画像情報の履歴に応じて変化させ、画像情報の履歴を把握することを可能とする撮像装置を提供することができる。
すなわち、本発明の請求項１の撮像装置によれば、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を外部機器にコピーするコピー手段と
を有し、
前記履歴取得手段は、前記履歴情報として、前記画像情報を外部機器にコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことにより、
画像情報の履歴に応じて彩度および色相の少なくともいずれかを変化させて、撮像した画像情報の履歴を把握することが可能であり、特に、画像情報の外部機器へのコピー履歴に応じて彩度および色相の少なくともいずれかを変化させて、画像情報のコピー履歴を把握することが可能となる。
【００１３】
本発明の請求項２の撮像装置によれば、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記画像情報を可視画像として表示する表示手段と、
前記表示手段により前記画像情報を表示に供する際に、前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を外部機器にコピーするコピー手段と
を有し、
前記履歴取得手段は、前記履歴情報として、前記画像情報を外部機器にコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことにより、
画像情報の履歴に応じて彩度および色相の少なくともいずれかを変化させて、表示される画像情報の履歴を把握することが可能となり、特に、画像情報の外部機器へのコピー履歴に応じて彩度および色相の少なくともいずれかを変化させて、画像情報のコピー履歴を把握することが可能となる。
【００１５】
本発明の請求項３の撮像装置によれば、請求項１または請求項２の撮像装置において、
前記撮像装置は、前記画像情報を外部機器にコピーするコピー手段を含むとともに、
前記履歴取得手段は、前記履歴情報として、前記画像情報を外部機器にコピーした回数を示すコピー回数情報を含む情報を取得し、且つ
前記履歴処理手段は、前記履歴情報に前記コピー回数情報を含む画像情報について、前記履歴情報に含まれる前記コピー回数情報に応じて、前記画像処理手段により前記画像情報に画像の彩度および色相の少なくともいずれかを変更する処理を施すことにより、
特に、画像情報の外部機器へのコピー回数履歴に応じて彩度および色相の少なくともいずれかを変化させて、画像情報のコピー回数履歴を把握することが可能となる。
【００１６】
本発明の請求項４の撮像装置によれば、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を内蔵メモリに保存する内蔵メモリ手段と、
前記画像情報を外部メモリに保存する外部メモリ手段と、
前記画像情報を前記内蔵メモリから前記外部メモリにコピーするコピー手段と
を含むとともに、
前記履歴取得手段は、前記履歴情報として、前記画像情報を前記内蔵メモリから前記外部メモリにコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことにより、
画像情報の履歴に応じて彩度および色相の少なくともいずれかを変化させて、撮像した画像情報の履歴を把握することが可能となり、特に、画像情報の内蔵メモリから外部メモリへのコピー歴がある画像情報について、経時履歴に応じて彩度および色相の少なくともいずれかを変化させて、画像情報の履歴を把握することが可能となる。
【００１７】
本発明の請求項５の撮像装置によれば、
被写体像を撮像して画像情報を得るための撮像手段と、
前記撮像手段により撮像された画像情報に、画像の彩度および色相の少なくともいずれかを変更する処理を含む画像処理を施す画像処理手段と、
前記画像情報についての履歴情報を個々の画像情報毎に取得する履歴取得手段と、
前記画像情報を可視画像として表示する表示手段と、
前記表示手段により前記画像情報を表示に供する際に、前記履歴取得手段により取得される前記画像情報についての履歴情報に応じて、前記画像処理手段により当該画像情報に画像の彩度および色相の少なくともいずれかを変更する処理を施す履歴処理手段と、
現在時点を示す日時情報を生成する時計手段と、
前記画像情報を内蔵メモリに保存する内蔵メモリ手段と、
前記画像情報を外部メモリに保存する外部メモリ手段と、
前記画像情報を前記内蔵メモリから前記外部メモリにコピーするコピー手段と
を含むとともに、
前記履歴取得手段は、前記履歴情報として、前記画像情報を前記内蔵メモリから前記外部メモリにコピーしたことを示すコピー歴情報と、前記画像情報の撮像時点を示す日時情報と現在時点を示す日時情報の差異に基づく経過時間情報とを含む情報を取得し、且つ
前記履歴処理手段は、前記表示手段により前記内蔵メモリに保存された画像情報を表示に供する際に、前記履歴情報に前記コピー歴情報を含む画像情報について、前記履歴情報に含まれる前記経過時間情報に応じて、前記画像処理手段により前記画像情報に画像の彩度および色相の少なくともいずれかを変更する処理を施すことにより、
画像情報の履歴に応じて彩度および色相の少なくともいずれかを変化させて、表示される画像情報の履歴を把握することが可能となり、特に、画像情報の内蔵メモリから外部メモリへのコピー歴がある画像情報について、経時履歴に応じて彩度および色相の少なくともいずれかを変化させて、表示される画像情報の履歴を把握することが可能となる。
【００１８】
本発明の請求項６の撮像装置によれば、請求項１〜請求項５のいずれか１項の撮像装置において、
前記履歴処理手段は、前記画像処理手段により、画像をセピア調に変更する処理を施すことにより、
特に、画像情報の履歴を色調により把握することが可能となる。
本発明の請求項７の撮像装置によれば、請求項１〜請求項６のいずれか１項の撮像装置において、
前記履歴情報は、前記画像情報に個々に対応して保存されることにより、
特に、画像情報と個々に対応して履歴情報を保存し、簡易に画像情報の履歴を把握することが可能となる。
本発明の請求項８の撮像装置によれば、請求項１〜請求項６のいずれか１項の撮像装置において、
前記履歴情報は、前記画像情報に付随する情報として一体的に保存されることにより、
特に、画像情報に対応する履歴情報を一体的に保存し、簡便に画像情報の履歴を把握することが可能となる。
【図面の簡単な説明】
【００１９】
【図１】本発明の各実施の形態が適用されるデジタルカメラの制御系の要部の電子機械的なシステム構成を模式的に示すブロック図である。
【図２】図１のデジタルカメラの外観構成を上面側から見た状態を模式的に示す平面図である。
【図３】図１のデジタルカメラの外観構成を正面被写体側から見た状態を模式的に示す正面図である。
【図４】図１のデジタルカメラの外観構成を背面撮影者側から見た状態を模式的に示す背面図である。
【図５】図１のデジタルカメラにおける色の濃さおよび色合いをＣｂＣｒ色空間上で説明するためのＣｂＣｒ色空間図である。
【図６】図１のデジタルカメラにおける色調をセピア調に変更するための画像処理をＣｂＣｒ色空間上で説明するための模式的なＣｂＣｒ色空間図である。
【発明を実施するための形態】
【００２０】
以下、本発明に係る実施の形態に基づき、図面を参照して本発明の撮像装置を詳細に説明する。
ここでは、撮像装置としてのデジタルカメラの実施の形態について説明するが、本発明は、これに限定されるものではなく、カメラ機能として同様の撮像機能を持つ電子機器、あるいは撮像装置に係る画像を処理するための画像処理システムを構築する画像処理ＩＣ（集積回路）および画像処理ソフトウェアなどの画像処理全般に適用することが可能である。
図１〜図４は、本発明の実施の形態に係る撮像装置としてのデジタルカメラの模式的な構成を示している。図１は、デジタルカメラの制御系のシステム構成の概要を模式的に示すブロック図である。図２は、図１のデジタルカメラの外観構成を上方から見た模式的な平面図、図３は、図１のデジタルカメラの外観構成を正面被写体側から見た模式的な正面図、そして図４は、図１のデジタルカメラの外観構成を背面撮影者側から見た模式的な背面図である。
【００２１】
図１〜図４に示すデジタルカメラは、その外観を図２〜図４に示すように、ストロボ発光部１、測距ユニット２、光学ファインダ３、鏡胴ユニット４、液晶ディスプレイモニタ（ＬＣＤモニタ）５、電池収納部６および操作部７を具備している。操作部７は、レリーズスイッチ７−１、モードダイヤル７−２、第１のジョグダイヤル７−３、第２のジョグダイヤル７−４、望遠側（ＴＥＬＥ）ズームスイッチ７−５、広角側（ＷＩＤＥ）ズームスイッチ７−６、上スイッチ７−７、右スイッチ７−８、オーケー（ＯＫ）スイッチ７−９、左スイッチ７−１０、下／マクロスイッチ７−１１、ディスプレイスイッチ７−１２、削除スイッチ７−１３、メニュー（ＭＥＮＵ）スイッチ７−１４および電源スイッチ７−１５等を含むスイッチ入力装置群であり、押しボタン操作またはダイヤル操作等による操作信号をシステムに入力するためのものである。
さらに、図１〜図４に示すデジタルカメラは、図１に主として電子的な制御に係るシステム構成を示すように、上述したストロボ発光部１、測距ユニット２、鏡胴ユニット４およびＬＣＤモニタ５に加えて、撮像素子（ＣＭＯＳイメージセンサ、ＣＣＤイメージセンサ等）１０１、フロントエンド部（Ｆ／Ｅ部）１０２、ＳＤＲＡＭ（シンクロナスダイナミックランダムアクセスメモリ）１０３、カメラプロセッサ１０４、サブ中央処理部（サブＣＰＵ）１０５、ストロボ回路１０６、内蔵メモリ１０７、ＬＣＤドライバ１０８、ビデオアンプ（ビデオ増幅器）１０９、ビデオコネクタ１１０、加速度センサ１１１、リアルタイムクロック（ＲＴＣ：Real Time Clock）１１２、ＲＯＭ（リードオンリメモリ）１１３およびＲＡＭ（ランダムアクセスメモリ）１１４を備えている。
【００２２】
鏡胴ユニット４は、ズームレンズ群４−１ａおよびズームモータ４−１ｂを含むズーム光学系４−１、フォーカスレンズ群４−２ａおよびフォーカスモータ４−２ｂを含むフォーカス光学系４−２、絞り４−３ａおよび絞りモータ４−３ｂを含む絞りユニット４−３、シャッタ４−４ａおよびシャッタモータ４−４ｂを含むシャッタユニット４−４、並びにモータドライバ４−５を有している。
フロントエンド部１０２は、ＣＤＳ（相関２重サンプリング部）１０２−１、ＡＧＣ（自動利得制御部）１０２−２、Ａ／Ｄ（アナログ−デジタル）変換部１０２−３およびＴＧ（タイミングジェネレータ）１０２−４を有している。
カメラプロセッサ１０４は、第１の撮像信号処理ブロック１０４−１、第２の撮像信号処理ブロック１０４−２、ＣＰＵ（中央処理部）ブロック１０４−３、ローカルＳＲＡＭ（ローカルスタティックランダムアクセスメモリ）１０４−４、ＵＳＢ（ユニバーサルシリアルバス）処理ブロック１０４−５、シリアル処理ブロック１０４−６、ＪＰＥＧ（Joint Photographic Experts Group）コーデック（ＣＯＤＥＣ）ブロック１０４−７、リサイズ（ＲＥＳＩＺＥ）ブロック１０４−８、ビデオ信号表示ブロック１０４−９、メモリカードコントローラブロック１０４−１０およびＩ２Ｃ（Inter-Integrated Circuit）インタフェースブロック１０４−１１を有している。
【００２３】
図２に示すように、操作部７のレリーズスイッチ（レリーズボタン）７−１、モードダイヤル７−２および第１のジョグダイヤル７−３は、カメラボディの上面に配置されている。レリーズスイッチ７−１は、多くの場合、２段階に押下操作することができ、１段目の押下で自動合焦（ＡＦ）動作、そして２段目まで押下すると撮影動作というような動作をさせることができる。一般に、１段目の押下を「半押し」、そして２段目の押下を「全押し」などと称する。モードダイヤル７−２は、このデジタルカメラにおける撮影モード、再生モード等の動作モードを切り換えるためのダイヤルである。
また、図３に示すように、ストロボ発光部１、測距ユニット２、光学ファインダ３（の対物面）および鏡胴ユニット４は、カメラボディの正面側に配置されている。
さらに、図４に示すように、ＬＣＤモニタ５、光学ファインダ３（の接眼部）および操作部７の多くの部分は、カメラボディの背面側に配置されている。すなわち、カメラボディの背面側には、操作部７の第２のジョグダイヤル７−４、望遠側ズームスイッチ７−５、広角側ズームスイッチ７−６、上スイッチ７−７、右スイッチ７−８、オーケースイッチ７−９、左スイッチ７−１０、下／マクロスイッチ７−１１、ディスプレイスイッチ７−１２、削除スイッチ７−１３、メニュースイッチ７−１４および電源スイッチ７−１５等が適宜配置されている。
【００２４】
この場合、上スイッチ７−７、右スイッチ７−８、左スイッチ７−１０および下／マクロスイッチ７−１１は、十字キーに相当する上下左右ボタンを構成している。
電池を装填するための電池収納部６は、カメラボディの撮影者側から見て右側面（被写体側から見て左側面）に開口するように配設されている。この電池収納部６は、開口部に蓋が設けられており、この蓋を開けて電池を交換するように構成されている。また、この電池収納部６の内部にメモリカードスロットを設けて、いわゆるＳＤカード等のメモリカードを挿脱するようにしても良い。
次に、図１に示したデジタルカメラの制御系の概略について図２〜図４に示した各部をも参照しながら説明する。ここでは、主として本発明の理解に必要な部分について詳細に述べている。
撮像素子１０１は、例えば、ＣＭＯＳイメージセンサまたはＣＣＤイメージセンサ等の固体撮像素子であり、光学像を光電変換して電子的な画像情報を得る。この撮像素子１０１が被写体像を撮像して画像情報を得るための撮像手段を構成する。
【００２５】
フロントエンド部１０２のＣＤＳ（相関二重サンプリング部）１０２−１は、画像ノイズを除去するための相関二重サンプリングを行う。フロントエンド部１０２のＡＧＣ１０２−２は、自動的に利得調整を行って画像信号のレベルを適切に制御する。フロントエンド部１０２のＡ／Ｄ変換部１０２−３は、アナログ画像情報をデジタル画像情報に変換する。そして、フロントエンド部１０２のＴＧ（タイミングジェネレータ）１０２−４は、カメラプロセッサ１０４の第１の撮像信号処理ブロック１０４−１から垂直同期駆動信号（ＶＤ）および水平同期駆動信号（ＨＤ）の供給を受けて、カメラプロセッサ１０４のＣＰＵブロック１０４−３によって制御される駆動タイミング信号を撮像素子１０１およびフロントエンド部１０２に対して発生する。このフロントエンド部１０２は、全体が一体としてＩＣ（集積回路）化されていてもよく、個別回路で構成されていてもよい。
鏡胴ユニット４のモータドライバ４−５は、カメラプロセッサ１０４のＣＰＵブロック１０４−３によって制御されて、ズームモータ４−１ｂ、フォーカスモータ４−２ｂ、絞りモータ４−３ｂおよびシャッタモータ４−４ｂの各モータを駆動し、それぞれズーム光学系４−１のズームレンズ群４−１ａ、フォーカス光学系４−２のフォーカスレンズ群４−２ａ、絞りユニット４−３の絞り４−３ａおよびシャッタユニット４−４のシャッタ４−４ａを作動させる。
【００２６】
すなわち、鏡胴ユニット４は、被写体の光学像を所望の変倍率で取り込むための焦点距離可変としてズーム光学系４−１、被写体にピントを合わせるための合焦動作、つまりフォーカシングを行うためのフォーカス光学系４−２、被写体光を絞り込むための絞りユニット４−３、撮像素子１０１に対する露光を機械的に開閉するシャッタユニット４−４、そしてこれら各部を作動させるモータを駆動するためのモータドライバ４−５を有している。厳密には、ズームレンズ群４−１ａとフォーカスレンズ群４−２ａの両者でズームレンズ光学系を構成しており、ズームレンズ光学系の一部（場合によっては全部）をフォーカスレンズ群４−２ａとしてフォーカスモータ４−２ｂによって駆動して合焦位置を変化させ、ズームレンズ光学系の全体をズームレンズ群４−１ａとしてズームモータ４−１ｂによってズームレンズ光学系の各部を駆動して焦点距離を変化させる。そして、モータドライバ４−５は、操作部７の操作入力に基づき、カメラプロセッサ１０４内のＣＰＵブロック１０４−３からの駆動指令により駆動制御される。
【００２７】
ＲＯＭ１１３には、カメラプロセッサ１０４のＣＰＵブロック１０４−３にて解読可能なプログラムコードで記述された制御プログラムおよびこの制御プログラムによる制御のためのパラメータが格納されている。操作部７の電源スイッチ７−１５のオン操作により、このデジタルカメラの電源がオン状態になると、前述したＲＯＭ１１３に格納されている制御プログラムは、ＣＰＵブロック１０４−３のためのメインメモリ（明確には図示していないが、カメラプロセッサ１０４の、例えばＣＰＵブロック１０４−３内等に設けられている）にロードされ、その制御プログラムに従ってＣＰＵブロック１０４−３が当該デジタルカメラの各部の動作を制御するとともに、制御に必要なデータ等を、一時的に、ＲＡＭ１１４およびカメラプロセッサ１０４内のローカルＳＲＡＭ１０４−４に保存する。ＲＯＭ１１３として、フラッシュメモリ等の書き換え可能なＲＯＭを用いるようにすれば、制御プログラムや制御のためのパラメータを変更することが可能となり、容易に機能のバージョンアップを行うことが可能となる。
カメラプロセッサ１０４の第１の撮像信号処理ブロック１０４−１は、撮像素子１０１からフロントエンド部１０２を介して供給される撮像画像情報に対し、ホワイトバランス調整やガンマ調整を施すとともに、先に述べたように垂直同期駆動信号ＶＤおよび水平同期駆動信号ＨＤをフロントエンド部１０２のＴＧ１０２−４に供給する。
【００２８】
カメラプロセッサ１０４の第２の撮像信号処理ブロック１０４−２は、第１の撮像信号処理ブロック１０４−１により、ホワイトバランス調整やガンマ調整が施された撮像画像情報に所定のフィルタリング処理を施して、当該撮像画像情報を輝度データＹと色差データＣｂおよびＣｒとからなるＹ・Ｃｂ・Ｃｒ画像データに変換する。このＹ・Ｃｂ・Ｃｒ画像データは、ＹＵＶ画像データ等と称されることもある（厳密には、Ｙ・Ｃｂ・Ｃｒ画像データと、ＹＵＶ画像データとは異なるものであるとされているが、非常に類似したものであり同一のものとみなされることも少なくないため、ここではＹ・Ｃｂ・Ｃｒ画像データは、ＹＵＶ画像データとも称されるものとしている）。この第２の撮像信号処理ブロック１０４−２は、撮像素子１０１により撮像された画像情報に、画像の彩度および色相の少なくともいずれかを変更する処理を含む画像処理を施す画像処理手段を構成する。
カメラプロセッサ１０４のＣＰＵブロック１０４−３は、このデジタルカメラの各部の動作を制御する。カメラプロセッサ１０４のローカルＳＲＡＭ１０４−４は、上述したＣＰＵブロック１０４−３による制御に必要な中間データ等のデータを、一時的に保存する。カメラプロセッサ１０４のＵＳＢ処理ブロック１０４−５は、このデジタルカメラ（のカメラプロセッサ１０４）とＰＣ（パーソナルコンピュータ）等の外部機器との間でＵＳＢ規格に準拠した通信（ＵＳＢ通信）を可能とするためのＵＳＢ処理を行う。カメラプロセッサ１０４のシリアル処理ブロック１０４−６、このデジタルカメラ（のカメラプロセッサ１０４）とＰＣ（パーソナルコンピュータ）等の外部機器との間でシリアル通信規格に準拠した通信（シリアル通信）を可能とするためのシリアル処理を行う。
【００２９】
さらに、カメラプロセッサ１０４のＪＰＥＧコーデックブロック１０４−７は、画像情報に対してＪＰＥＧ規格に準拠したエンコード／デコード、を行って、当該画像情報をＪＰＥＧ方式により圧縮／伸張した画像情報に変換する。カメラプロセッサ１０４のリサイズブロック１０４−８は、画像情報のサイズを補間処理を用いて拡大／縮小する。カメラプロセッサ１０４のビデオ信号表示ブロック１０４−９は、このデジタルカメラ内の画像データを外部表示機器に表示するためのビデオ信号に変換して、ＬＣＤドライバ１０８を介して、ＬＣＤモニタ５に表示させたり、ビデオアンプ１０９およびビデオコネクタ１１０を介してＴＶ（テレビ）受像機などの外部表示機器に表示させたりする。カメラプロセッサ１０４のメモリカードコントローラブロック１０４−１０は、撮像された画像を記録するためのメモリカード（図示されていない）が装填されている場合に、このメモリカードへの画像データの書き込みおよびメモリカードからの画像データの読み出しの制御を行う。なお、メモリカードは、カメラボディ内の適宜個所、例えば電池収納部６内にカードスロットが設けられていて、この電池収納部６内に装填されるものとする。カメラプロセッサ１０４のＩ２Ｃ（Inter-Integrated Circuit）インタフェースブロック１０４−１１は、Ｉ２Ｃバスによるシリアル通信を行うためのインタフェースであり、ここでは、詳細を後述する加速度センサ１１１との間の通信を行って当該デジタルカメラの傾きを検出してＬＣＤモニタ５等に表示するために用いている。
【００３０】
カメラプロセッサ１０４のＣＰＵブロック１０４−３は、履歴取得手段としてのカメラプロセッサ１０４のＣＰＵブロック１０４−３およびサブＣＰＵ１０５により取得される画像情報についての履歴情報に応じて、画像処理手段としての第２の撮像信号処理ブロック１０４−２により当該画像情報に画像の彩度および色相の少なくともいずれかを変更する処理を施す履歴処理手段を構成する。また、カメラプロセッサ１０４のＣＰＵブロック１０４−３は、履歴処理手段として、履歴情報に含まれる経過時間情報に応じて、画像処理手段としての第２の撮像信号処理ブロック１０４−２により当該画像情報に画像の彩度および色相の少なくともいずれかを変更する処理を施す。
ＳＤＲＡＭ１０３は、上述したカメラプロセッサ１０４において、画像情報に各種の処理を施す際に、画像データを一時的に保存するための画像メモリとして用いられる。このＳＤＲＡＭ１０３に保存される画像データは、例えば撮像素子１０１から、フロントエンド部１０２を経由して取り込まれ、第１の撮像信号処理ブロック１０４−１によってホワイトバランス調整およびガンマ調整が行われた状態のＲＡＷ−ＲＧＢ画像データ、第２の撮像信号処理ブロック１０４−２によって輝度データＹと色差データＣｂおよびＣｒからなるＹ・Ｃｂ・Ｃｒ画像データへのＹ・Ｃｂ・Ｃｒ変換が行われた状態のＹＵＶ画像データ、並びにＪＰＥＧコーデックブロック１０４−７によって、ＪＰＥＧ圧縮方式に従って圧縮されたＪＰＥＧ画像データなどである。
【００３１】
内蔵メモリ１０７は、画像記録用のメモリカードが装填されていなくとも撮像された画像データを記録できるようにするためのメモリである。
ＬＣＤドライバ１０８は、ＬＣＤモニタ５を駆動する回路であり、カメラプロセッサ１０４のビデオ信号表示ブロック１０４−９から出力されたビデオ信号を、ＬＣＤモニタ５に表示させる。このＬＣＤドライバ１０８には、ビデオ信号表示ブロック１０４−９から出力されたビデオ信号を、ＬＣＤモニタ５に表示するための信号形態に変換する機能をも有している。ＬＣＤモニタ５は、撮影前に被写体の状態を監視するために撮像されている被写体の画像を表示したり、撮影した画像を確認するために撮影した画像を表示したり、そしてメモリカードまたは内蔵メモリ１０７に記録された画像データを参照するために表示したりする。ＬＣＤドライバ１０８およびＬＣＤモニタ５は、画像情報を可視画像として表示する表示手段を構成する。
ビデオアンプ１０９は、ビデオ信号表示ブロック１０４−９から出力されたビデオ信号を、ビデオ信号用のケーブル等の７５Ωインピーダンスに整合させてるべくインピーダンス変換するためのアンプ（増幅器）であり、ビデオコネクタ１１０は、７５Ωインピーダンスのビデオ信号をＴＶ受像機等の外部表示機器に接続するためのジャック等のコネクタである。
【００３２】
レリーズスイッチ７−１、モードダイヤル７−２、第１のジョグダイヤル７−３、第２のジョグダイヤル７−４、望遠側（ＴＥＬＥ）ズームスイッチ７−５、広角側（ＷＩＤＥ）ズームスイッチ７−６、上スイッチ７−７、右スイッチ７−８、オーケー（ＯＫ）スイッチ７−９、左スイッチ７−１０、下／マクロスイッチ７−１１、ディスプレイスイッチ７−１２、削除スイッチ７−１３、メニュー（ＭＥＮＵ）スイッチ７−１４および電源スイッチ７−１５等を含むスイッチ入力装置群からなる操作部７は、押しボタン操作またはダイヤル操作等による操作信号をシステムに入力する。
サブＣＰＵ１０５は、操作部７の各スイッチ等７−１〜７−１５の出力信号をユーザの操作情報として検知し、カメラプロセッサ１０４のＣＰＵブロック１０４−３に与える。また、サブＣＰＵ１０５は、時刻をカウントするＲＴＣ１１２と通信し、システムの時間を制御している。カメラプロセッサ１０４のＣＰＵブロック１０４−３およびサブＣＰＵ１０５は、画像情報についての履歴情報を個々の画像情報毎に取得する履歴取得手段を構成する。また、ＲＴＣ１１２およびサブＣＰＵ１０５は、現在時点を示す日時情報を生成する時計手段を構成する。
【００３３】
加速度センサ１１１は、デジタルカメラ内のプリント配線基板（ＰＣＢ）上に実装されており、２軸、すなわちＸ軸およびＹ軸、方向の加速度と温度Ｔをリアルタイム的に検知し、それらのデータを出力する。先に述べたように、この加速度センサ１１１は、カメラプロセッサ１０４のＩ２Ｃブロック１０４−１１との間でＩ２Ｃバス規格に従ってシリアル通信し、検知データをシステムに入力する。カメラプロセッサ１０４のＣＰＵブロック１０４−３は、加速度センサ１１１から得られるデータに基づいて、（当該デジタルカメラの）傾きを演算し、その傾き情報をＬＣＤモニタ５等に表示させる。
なお、ストロボ発光部１およびストロボ回路１０６は、フラッシュ発光手段としての、いわゆるストロボ装置を構成しており、自然光などの光が足りない場合に、いわゆるストロボ光すなわちフラッシュ光を発光させて光量を補うために用いられる。すなわち、暗い場所や被写体が暗い場合の撮影においては、カメラプロセッサ１０４のＣＰＵブロック１０４−３からストロボ回路１０６にストロボ発光信号を送信し、ストロボ回路１０６がストロボ発光部１をフラッシュ発光させて被写体を照明する。
【００３４】
測距ユニット２は、このデジタルカメラと被写体との間の距離を測るために用いられる。通常の場合、デジタルカメラでは、ＣＭＯＳ（相補型金属酸化物半導体）撮像素子やＣＣＤ（電荷結合素子）撮像素子等の撮像素子１０１に形成された像のコントラストを検出し、最もコントラストの高い位置にフォーカスレンズ群４−２ａを移動させてフォーカスを合わせる、いわゆるＣＣＤ−ＡＦ方式が用いられている。しかしながら、このＣＣＤ−ＡＦ方式は、フォーカスレンズ群４−２ａを少しずつ移動させてコントラストの高い個所を探して行くため、フォーカス動作に時間がかかってしまう場合がある。そこで、この実施の形態に係るデジタルカメラにおいては、測距ユニット２を用いて被写体との間の距離情報を常に取得し、この距離情報に基づいてフォーカスレンズ群４−２ａを一気に合焦位置近傍に移動させてからＣＣＤ−ＡＦ方式を作動させるようにして、フォーカス動作を高速化するようにしている。
次に、上述のように構成されたデジタルカメラにおける本発明の特徴となる構成および動作について具体的に説明する。ここでは、まず、本発明を適用したデジタルカメラの各実施の形態に用いられる色調整の概略について説明している。
【００３５】
〔色調整〕
色調整には、彩度調整および色相調整などがある。彩度調整は色の純度、つまりあざやかさ、を決定するパラメータの調整設定である。図５は、Ｃｂ−Ｃｒ色空間を示すものであるが、例えば、第２象限におけるＲＥＤ（赤）の色について、原点からＲＥＤのドットまでのベクトルの長さが長い程色の彩度は高くなる。一方、色相調整は、色合いを決定するパラメータの調整設定である。例えば、図５の第３象限におけるＧＲＥＥＮ（緑）の色についてベクトルの長さが同じであってもベクトルの向きが異なると色合いは変わってくる。
また、それぞれの色に色差ＣｂおよびＣｒを一定量加算することにより、特定の色調を与えることができる。例えば、画像中の全ての色に対して、彩度を下げて、第２象限の方向に一定量移動する処理を行うことにより、画像をセピア調にすることができる。すなわち、図６には、一例として、Ｃｂ−Ｃｒ色空間において、ＲＥＤ／ＧＲＥＥＮを第２象限の方向に移動させている状態を示している。この移動量を変更することによって色調を調整することができ、移動した色調に対して、彩度のベクトルの長さを短くすることによって、各色の色のあざやかさの割合を変えることができる。したがって、この場合、彩度のベクトルの長さを変更することにより、セピア調とする色調整の効果の割合を変更することができる。
【００３６】
〔第１の実施の形態〕
そこで、本発明の撮像装置の第１の実施の形態に係るデジタルカメラにおいては、デジタルカメラ内に格納されている全ての撮像画像情報について、それぞれの履歴情報、例えば撮像後の経過日時の長さに応じて、画像の色調、例えば彩度および色相の少なくともいずれかを変更して、画像情報を見るだけで、その色調から画像情報の履歴、この場合、経過日時の長さ、つまり古さおよび新しさ、を把握することができるようにする。
【００３７】
以下に、この第１の実施の形態に係るデジタルカメラにおけるより具体的な処理について説明する。
例えば当該デジタルカメラにより、撮影時に、カメラプロセッサ１０４のＣＰＵブロック１０４−３は、サブＣＰＵ１０５を介してＲＴＣ１１２から取得される現在日時情報を履歴情報としての撮像日時情報（いわゆるタイムスタンプ）として、撮像画像情報に対応づけて当該デジタルカメラの内蔵メモリ１０７または当該デジタルカメラに装填したメモリカードに格納する。このとき、撮像日時情報は、対応する撮像画像情報中に付随情報として一体的に格納することが望ましいが、対応する撮像画像情報とは異なる個所に、対応する撮像画像情報と対応づけて格納しても良い。このような撮像画像情報に対応づけた撮像日時情報の格納は、一般的なデジタルカメラ等において、従来より広く行われている。
【００３８】
そして、格納された撮像画像情報の読み出し表示時、または予め定められた所定期間毎の履歴管理時に、ＣＰＵブロック１０４−３は、デジタルカメラ内に格納されている画像の撮像日時、すなわち撮像画像情報の取得日時、と、サブＣＰＵ１０５を介してＲＴＣ１１２から取得される現在日時情報とを比較して、撮像後の経過日時を求める。
ＣＰＵブロック１０４−３は、当該デジタルカメラ内に撮像後１年以上経過している画像情報が格納されていれば、ＣＰＵブロック１０４−３自体で、または第２の撮像信号処理ブロック１０４−２を用いて、当該画像情報の彩度のベクトルの長さを７５％に減弱し、且つ色差ＣｂおよびＣｒをＣｂ−Ｃｒ色空間において第２象限方向に移動させて、画像をセピア調に変更する処理を行う。さらに、２年以上経過している画像であれば、彩度のベクトルの長さを５０％とし、且つ色差ＣｂおよびＣｒをＣｂ−Ｃｒ色空間において第２象限方向にさらに移動させて、セピア調の効果をさらに高める。このようにして、撮像画像情報の撮像日時情報と現在の日時情報とを比較し、日時の経過に応じて、セピア調の効果を高める。
【００３９】
このように、セピア調化が施された画像情報を、元の画像情報に上書き保存するようにしても良いし、格納された画像情報自体には画像処理を施さずに、画像情報をＬＣＤモニタ５に表示する際に、経過日時に応じてセピア調等の色調に変更する処理を施して表示するようにしても良い。このようにすることにより、各画像情報について、撮像後日時が経過している度合いを、画像のセピア調の効果の度合いを見て判断することができ、しかも銀塩写真が日光に焼けたのとほぼ同様な感覚を再現することができる。
もちろん、履歴としての日時の経過に応じて、度合いを変化させてセピア調に色調を変更する形態に限らず、日時の経過に応じて、赤みを強めたり、青みを強めたり、黄みを強めたり、するなど他の色調に変化させたりしても良く、日時の経過に応じて、彩度を漸次低下させて、色あせた感じとしたりしても良い。
【００４０】
〔第２の実施の形態〕
上述した本発明の第１の実施の形態においては、デジタルカメラに格納されている全ての撮像画像情報に対する処理を行うものとしたが、本発明の撮像装置の第２の実施の形態に係るデジタルカメラにおいては、全ての撮像画像情報ではなく、記録媒体としてデジタルカメラに装填される、いわゆるＳＤカード等のメモリカードおよび内蔵メモリ１０７の少なくとも一方に格納されている撮像画像情報のうちのＰＣ等の外部機器にコピーしたことがある撮像画像情報についてのみ、それぞれの履歴情報、例えば撮像後の経過日時の長さに応じて、画像の色調、例えば彩度および色相の少なくともいずれかを変更して、画像情報を見るだけで、その色調から画像情報の履歴、この場合、経過日時の長さ、つまり古さおよび新しさ、を把握することができるようにする。このようにすることによって、撮像画像情報の外部機器へのコピーの有無および経過日時の長さを同時に把握することが可能となる。
また、経過日時ではなく、外部機器へのコピーの回数に応じて、画像の色調、例えば彩度および色相の少なくともいずれかを変更するようにしても良い。このようにすることによって、コピーしていない画像を誤って消去してしまうことなどの不都合を効果的に防止することができる。
【００４１】
以下に、この第２の実施の形態に係るデジタルカメラにおけるより具体的な処理について説明する。
例えば当該デジタルカメラにより、撮影時に、カメラプロセッサ１０４のＣＰＵブロック１０４−３は、サブＣＰＵ１０５を介してＲＴＣ１１２から取得される現在日時情報を履歴情報としての撮像日時情報として、撮像画像情報に対応づけて当該デジタルカメラの内蔵メモリ１０７または当該デジタルカメラに装填したメモリカードに格納する。このとき、撮像日時情報は、対応する撮像画像情報中に付随情報として一体的に格納することが望ましいが、対応する撮像画像情報とは異なる個所に、対応する撮像画像情報と対応づけて格納しても良い。このような撮像画像情報に対応づけた撮像日時情報の格納は、一般的なデジタルカメラ等において、従来より広く行われている。
また、デジタルカメラの内蔵メモリ１０７または当該デジタルカメラに装填したメモリカードに格納された撮像画像情報を、カメラプロセッサ１０４のＵＳＢ処理ブロック１０４−５またはシリアル処理ブロック１０４−６等を介して、有線または無線により、ＰＣ等の外部機器にコピーした際には、カメラプロセッサ１０４のＣＰＵブロック１０４−３は、履歴情報としてコピーしたことを示す情報またはコピー回数情報等のコピー履歴情報を撮像画像情報に対応づけて内蔵メモリ１０７またはメモリカードに格納する。
【００４２】
このとき、コピー履歴情報を、対応する撮像画像情報中の、いわゆるメーカーノート等の領域に書き込むことにより、撮像画像情報の付随情報として、一体的に格納することができる。  コピー履歴情報は、対応する撮像画像情報とは異なる個所に、対応する撮像画像情報と対応づけて格納しても良い。メモリカードを差し替えてＰＣ等の外部機器に装填した状態で、外部機器内にコピーした際には、コピー時にコピー履歴情報を撮像画像情報に対応づけてメモリカードに書き込むようにすればよい。
そして、格納された撮像画像情報の読み出し表示時、または予め定められた所定期間毎の履歴管理時に、ＣＰＵブロック１０４−３は、上述したコピー履歴情報が格納されている撮像画像情報についてのみ、デジタルカメラ内に格納されている画像の撮像日時、すなわち撮像画像情報の取得日時、と、サブＣＰＵ１０５を介してＲＴＣ１１２から取得される現在日時情報とを比較して、撮像後の経過日時を求める。
ＣＰＵブロック１０４−３は、コピー履歴情報が格納されている画像情報については、画像情報の撮像後の経過日時に応じて、ＣＰＵブロック１０４−３自体で、または第２の撮像信号処理ブロック１０４−２を用いて、当該画像情報の彩度のベクトルの長さを減弱し、且つ色差ＣｂおよびＣｒをＣｂ−Ｃｒ色空間において第２象限方向に移動させて、画像をセピア調に変更する処理を行う。このようにして、コピー履歴情報が付随している撮像画像情報の日時の経過に応じて、セピア調の効果を高める。このように、セピア調化が施された画像情報を、元の画像情報に上書き保存するようにしても良いし、格納された画像情報自体には画像処理を施さずに、画像情報をＬＣＤモニタ５に表示する際に、経過日時に応じてセピア調等の色調に変更する処理を施して表示するようにしても良い。
【００４３】
このようにすることにより、各画像情報について、外部機器へのコピーの有無および外部機器へコピーされたものについては、撮像後日時が経過している度合いを、画像のセピア調の効果の有無およびその度合いを見て判断することができる。
もちろん、履歴としての日時の経過に応じて、度合いを変化させてセピア調に色調を変更する形態に限らず、単に外部機器へのコピーの有無に応じて、セピア調に色調を変更しても良く、日時の経過にかかわらず、コピーの回数に応じて、セピア調に色調を変更しても良い。さらに、セピア調への変更に限らず、赤みを強めたり、青みを強めたり、黄みを強めたり、するなど他の色調に変化させたりしても良く、日時の経過に応じて、彩度を漸次低下させて、色あせた感じとしたりしても良い。
【００４４】
〔第３の実施の形態〕
上述した本発明の第２の実施の形態においては、デジタルカメラに格納されている全ての撮像画像情報ではなく、記録媒体としてデジタルカメラに装填される、いわゆるＳＤカード等のメモリカードおよび内蔵メモリ１０７の少なくとも一方に格納されている撮像画像情報のうちのＰＣ等の外部機器にコピーしたことがある撮像画像情報についてのみ、それぞれの履歴情報、例えば撮像後の経過日時の長さに応じて、画像の色調、例えば彩度および色相の少なくともいずれかを変更して、画像情報を見るだけで、その色調から画像情報の履歴、この場合、経過日時の長さ、つまり古さおよび新しさ、を把握することができるようにするものとした。ところで、デジタルカメラの多くは、記録媒体として、ＳＤカード等のメモリカードのような外部メモリを装填していなくとも使えるようするために、内蔵メモリ１０７を備えている。このような内蔵メモリ１０７に記録された画像情報は、外部メモリにコピーすることによって外に取り出すことができる。
そこで、本発明の撮像装置の第３の実施の形態に係るデジタルカメラにおいては、挿脱可能な外部メモリを装填しなくても使えるよう設けられた内蔵メモリ手段としての内蔵メモリ１０７から外部メモリ手段としてのメモリカード等の外部メモリに撮像画像情報をコピーした場合に、第２の実施の形態とほぼ同様に、内蔵メモリ１０７に格納されている撮像画像情報のうちの外部メモリにコピーしたことがある撮像画像情報についてのみ、それぞれの履歴情報、例えば撮像後の経過日時の長さに応じて、画像の色調、例えば彩度および色相の少なくともいずれかを変更して、画像情報を見るだけで、その色調から画像情報の履歴、この場合、経過日時の長さ、つまり古さおよび新しさ、を把握することができるようにする。
【００４５】
このようにすることによって、内蔵メモリ１０７に格納されている撮像画像情報の外部メモリへのコピーの有無および経過日時の長さを同時に把握することが可能となる。
また、経過日時ではなく、内蔵メモリ１０７から外部メモリへのコピーの回数に応じて、画像の色調、例えば彩度および色相の少なくともいずれかを変更するようにしても良い。このようにすることによって、内蔵メモリ１０７に格納されている撮像画像情報のうちの外部メモリへコピーしていない画像情報を誤って消去してしまうことなどの不都合を効果的に防止することができる。
以下に、この第３の実施の形態に係るデジタルカメラにおけるより具体的な処理について説明する。
例えば当該デジタルカメラにより、撮影時に、カメラプロセッサ１０４のＣＰＵブロック１０４−３は、サブＣＰＵ１０５を介してＲＴＣ１１２から取得される現在日時情報を履歴情報としての撮像日時情報として、撮像画像情報に対応づけて当該デジタルカメラの内蔵メモリ１０７に格納する。このとき、撮像日時情報は、対応する撮像画像情報中に付随情報として一体的に格納することが望ましいが、対応する撮像画像情報とは異なる個所に、対応する撮像画像情報と対応づけて格納しても良い。
【００４６】
また、デジタルカメラの内蔵メモリ１０７に格納された撮像画像情報を、カメラプロセッサ１０４のメモリカードコントローラブロック１０４−１０を介して、当該デジタルカメラに装填されたＳＤカード等の外部メモリにコピーした際には、カメラプロセッサ１０４のＣＰＵブロック１０４−３は、履歴情報としてコピーしたことを示す情報またはコピー回数情報等のコピー履歴情報を撮像画像情報に対応づけて内蔵メモリ１０７に格納する。このとき、コピー履歴情報を、対応する撮像画像情報中の、いわゆるメーカーノート等の領域に書き込むことにより、撮像画像情報の付随情報として、一体的に格納することができる。
そして、内蔵メモリ１０７に格納された撮像画像情報の読み出し表示時、または予め定められた所定期間毎の履歴管理時に、ＣＰＵブロック１０４−３は、上述したコピー履歴情報が格納されている撮像画像情報についてのみ、デジタルカメラ内に格納されている画像の撮像日時、すなわち撮像画像情報の取得日時と、サブＣＰＵ１０５を介してＲＴＣ１１２から取得される現在日時情報とを比較して、撮像後の経過日時を求める。
ＣＰＵブロック１０４−３は、コピー履歴情報が格納されている画像情報については、画像情報の撮像後の経過日時に応じて、ＣＰＵブロック１０４−３自体で、または第２の撮像信号処理ブロック１０４−２を用いて、当該画像情報の彩度のベクトルの長さを減弱し、且つ色差ＣｂおよびＣｒをＣｂ−Ｃｒ色空間において第２象限方向に移動させて、画像をセピア調に変更する処理を行う。
【００４７】
このようにして、コピー履歴情報が付随している撮像画像情報の日時の経過に応じて、セピア調の効果を高める。このように、セピア調化が施された画像情報を、元の画像情報に上書き保存するようにしても良いし、格納された画像情報自体には画像処理を施さずに、画像情報をＬＣＤモニタ５に表示する際に、経過日時に応じてセピア調等の色調に変更する処理を施して表示するようにしても良い。このようにすることにより、内蔵メモリ１０７内の各画像情報について、外部メモリへのコピーの有無および外部メモリへコピーされたものについては、撮像後日時が経過している度合いを、画像のセピア調の効果の有無およびその度合いを見て判断することができる。
もちろん、履歴としての日時の経過に応じて、度合いを変化させてセピア調に色調を変更する形態に限らず、単に外部メモリへのコピーの有無に応じて、セピア調に色調を変更しても良く、日時の経過にかかわらず、コピーの回数に応じて、セピア調に色調を変更しても良い。さらに、セピア調への変更に限らず、赤みを強めたり、青みを強めたり、黄みを強めたり、するなど他の色調に変化させたりしても良く、日時の経過に応じて、彩度を漸次低下させて、色あせた感じとしたりしても良い。
なお、本発明の実施の形態は、上述した第１〜第３の実施の形態に限定されることはなく、本発明の要旨の範囲内乃至は当業者が容易に想到できる範囲内において、種々に修正または変形して実施することができる。
【符号の説明】
【００４８】
１  ストロボ発光部
２  測距ユニット
３  光学ファインダ
４  鏡胴ユニット
４−１  ズーム光学系
４−１ａ  ズームレンズ群
４−１ｂ  ズームモータ
４−２  フォーカス光学系
４−２ａ  フォーカスレンズ群
４−２ｂ  フォーカスモータ
４−３  絞りユニット
４−３ａ  絞り
４−３ｂ  絞りモータ
４−４  シャッタユニット
４−４ａ  シャッタ
４−４ｂ  シャッタモータ
４−５  モータドライバ
５  液晶ディスプレイモニタ（ＬＣＤモニタ）
６  電池収納部
７  操作部
７−１  レリーズスイッチ
７−２  モードダイヤル
７−３  第１のジョグダイヤル
７−４  第２のジョグダイヤル
７−５  望遠側（ＴＥＬＥ）ズームスイッチ
７−６  広角側（ＷＩＤＥ）ズームスイッチ
７−７  上スイッチ
７−８  右スイッチ
７−９  オーケー（ＯＫ）スイッチ
７−１０  左スイッチ
７−１１  下／マクロスイッチ
７−１２  ディスプレイスイッチ
７−１３  削除スイッチ
７−１４  メニュー（ＭＥＮＵ）スイッチ
７−１５  電源スイッチ
１０１  固体撮像素子（ＣＭＯＳイメージセンサ、ＣＣＤイメージセンサ等）
１０２  フロントエンド（Ｆ／Ｅ）部
１０２−１  ＣＤＳ（相関２重サンプリング部）
１０２−２  ＡＧＣ（自動利得制御部）
１０２−３  Ａ／Ｄ（アナログ−デジタル）変換部
１０２−４  ＴＧ（タイミングジェネレータ）
１０３  ＳＤＲＡＭ（シンクロナスダイナミックランダムアクセスメモリ）
１０４  カメラプロセッサ
１０４−１  第１の撮像信号処理ブロック
１０４−２  第２の撮像信号処理ブロック
１０４−３  ＣＰＵ（中央処理部）ブロック
１０４−４  ローカルＳＲＡＭ（ローカルスタティックランダムアクセスメモリ）
１０４−５  ＵＳＢ（ユニバーサルシリアルバス）処理ブロック
１０４−６  シリアル処理ブロック
１０４−７  ＪＰＥＧ（Joint Photographic Experts Group）コーデック（ＣＯＤＥＣ）ブロック
１０４−８  リサイズ（ＲＥＳＩＺＥ）ブロック
１０４−９  ビデオ信号表示ブロック
１０４−１０  メモリカードコントローラブロック
１０４−１１  およびＩ２Ｃ（Inter-Integrated Circuit）インタフェースブロック
１０５  サブ中央処理部（サブＣＰＵ）
１０６  ストロボ回路
１０７  内蔵メモリ
１０８  ＬＣＤドライバ
１０９  ビデオアンプ（ビデオ増幅器）
１１０  ビデオコネクタ
１１１  加速度センサ
１１２  リアルタイムクロック（ＲＴＣ：Real Time Clock）
１１３  ＲＯＭ（リードオンリメモリ）
１１４  ＲＡＭ（ランダムアクセスメモリ）
【先行技術文献】
【特許文献】
【００４９】
【特許文献１】特許第４３５０８０９号公報
【特許文献２】特開２０１０−１８７０５０号公報
【図１】
0005720988.tif 000002
【図２】
0005720988.tif 000003
【図３】
0005720988.tif 000004
【図４】
0005720988.tif 000005
【図５】
0005720988.tif 000006
【図６】
0005720988.tif 000007